(57)【要約】【課題】  異なる種類の穂先が集束したノーズピースを、所定形状の塗布具本体に保持させることにより、結果的に液状化粧品塗布具の製造コストを低下させる。【解決手段】  内部に中綿１３が収納された筒状の塗布具本体１２と、該塗布具本体１２の先端部１２ａに嵌め込むと共に穂先１５が集束されたノーズピース１４とを少なくとも有する液状化粧品塗布具１１であって、前記塗布具本体１２の先端部１２ａは、種々の種類の穂先１５が集束されたノーズピース１４を容易に嵌め込むことができるように構成されている。【選択図】      図１
2006296936.tif 000002
【特許請求の範囲】
【請求項１】
内部に中綿が収納された筒状の塗布具本体と、該塗布具本体の先端部に嵌め込むと共に穂先が集束されたノーズピースとを少なくとも有する液状化粧品塗布具であって、
前記塗布具本体の先端部は、種々の種類の穂先が集束されたノーズピースを容易に嵌め込むことができるように構成されていることを特徴とする液状化粧品塗布具。
【請求項２】
前記穂先の基部には、前記中綿に挿入する中経芯が設けられていることを特徴とする請求項１に記載の液状化粧品塗布具。
【発明の詳細な説明】
【技術分野】
【０００１】
本発明は、アイライナー液等の液状化粧品を塗布する液状化粧品塗布具に関するものであり、更には、先端部に穂先が設けられて筆形に形成された液状化粧品塗布具に関するものである。
【背景技術】
【０００２】
従来の液状化粧品塗布具としては、次のような構成のものが知られている。この液状化粧品塗布具は、筒状で中空の塗布具本体と、この塗布具本体の先端部に保持された穂先と、この穂先を覆うキャップと、塗布具本体の後端部を閉塞する尾栓とから構成されており、塗布具本体の内部には、液状化粧品が含浸した中綿が収納されている（特許文献１参照）。
【０００３】
このような構成の液状化粧品塗布具は、中綿に含浸した液状化粧品を穂先から吐出させて塗布するものである。
【特許文献１】実開平６−４８５２１号公報（第４頁及び第５頁、図１３）。
【発明の開示】
【発明が解決しようとする課題】
【０００４】
この従来例の液状化粧品塗布具においては、液状化粧品の種類や液状化粧品を塗布する部位などの違いにより、形状等において最適な種類の穂先が選択される。その場合、選択した穂先の種類に応じて塗布具本体の先端部の保持形状を異ならせる必要がある。しかし、穂先の種類によって異なる保持形状の塗布具本体を使用すると、多数の種類の塗布具本体が必要であり、結果的に製造コストが増加することとなる。
【０００５】
従って、従来例における液状化粧品塗布具においては、種々の異なる種類の穂先を所定形状の塗布具本体に保持できるようにして、製造コストを低下させることに解決しなければならない課題を有している。
【課題を解決するための手段】
【０００６】
前記従来例の課題を解決する具体的手段として本発明は、内部に中綿が収納された筒状の塗布具本体と、該塗布具本体の先端部に嵌め込むと共に穂先が集束されたノーズピースとを少なくとも有する液状化粧品塗布具であって、前記塗布具本体の先端部は、種々の種類の穂先が集束されたノーズピースを容易に嵌め込むことができるように構成されていることを特徴とする液状化粧品塗布具を提供するものである。
【０００７】
また、前記穂先の基部には、前記中綿に挿入する中経芯が設けられている構成としたものである。
【発明の効果】
【０００８】
本発明に係る液状化粧品塗布具は、内部に中綿が収納された筒状の塗布具本体と、該塗布具本体の先端部に嵌め込むと共に穂先が集束されたノーズピースとを少なくとも有する液状化粧品塗布具であって、前記塗布具本体の先端部は、種々の種類の穂先が集束されたノーズピースを容易に嵌め込むことができるように構成されていることによって、種類が異なる穂先を備えたノーズピースを所定形状の塗布具本体に容易に保持できる。従って、保持形状の異なる種類の塗布具本体を必要としないので、結果的に製造コストが低下するという優れた効果を奏する。
【０００９】
また、穂先の基部には、前記中綿に挿入する中経芯が設けられていることによって、中綿に含浸された液状化粧品が中経芯を介して穂先から吐出するという優れた効果を奏する。
【発明を実施するための最良の形態】
【００１０】
次に、本発明の実施の形態について図面を参照しながら説明する。まず、図１及び図２において、符号１１は液状化粧品塗布具を示し、この液状化粧品塗布具１１は、筒状の塗布具本体１２と、この塗布具本体１２の内部に収納される中綿１３と、塗布具本体１２の先端部１２ａに嵌め込むノーズピース１４と、このノーズピース１４に集束される穂先１５と、塗布具本体１２の先端部１２ａを覆うキャップ１６と、塗布具本体１２の後端部１２ｂを閉塞する尾栓１７とから構成される。
【００１１】
塗布具本体１２は、図３に示すように、先端部１２ａ及び後端部１２ｂが開口して筒状に形成されている。そして、先端部１２ａ側には、周方向に沿って段部１８が形成されており、この段部１８にキャップ１６の他端部１６ｂが当接するようになっている。また、段部１８には、縮径部１９が延設されており、この縮径部１９の外周面には、周方向に沿って凸条部２０が形成されている。更に、縮径部１９の内径は、所定の寸法に形成されている。
【００１２】
中綿１３は、略円柱状に形成されて、塗布具本体１２の内部に収納されており、この中綿１３にアイライナー液等の液状化粧品が含浸している。また、中綿１３の後端部１３ｂには、図１に示すように、リング状のアジャスター２１が収納されており、このアジャスター２１によって中綿１３を固定状態に保持している。
【００１３】
ノーズピース１４は、図４及び図５に示すように、中空状に形成されて、先端側にテーパー状部２２が設けられている。テーパー状部２２の後部には、周方向に沿って段部２３が形成されており、この段部２３が塗布具本体１２の先端部１２ａに当接する。また、テーパー状部２２の後部には、筒部２４が延設されており、筒部２４の外周面には、凹溝２５が形成されている。そして、筒部２４の外径寸法は、縮径部１９の内径寸法よりも僅かに小さめな所定の寸法に形成されている。つまり、筒部２４を塗布具本体１２の縮径部１９の内側に容易に嵌め込むことができるように構成されているのである。
【００１４】
穂先１５は、ポリエステル繊維等の周知の材料で形成されており、図６及び図７に示すように、先端部１５ａ側がノーズピース１４の外部に突出している。また、基部１５ｂ側がノーズピース１４の内部で集束されていると共に、基部１５ｂの縁を接着固定して鍔状部１５ｃに形成し、この鍔状部１５ｃを筒部２４の端部２４ａから僅かに膨出させている（図１及び図７参照）。
【００１５】
穂先１５の基部１５ｂには、図１及び図７に示すように、中経芯２６が挿入した状態に設けられており、この中経芯２６は、中綿１３の先端部１３ａに挿入される。このように、穂先１５と中綿１３との間に中経芯２６が介在することにより、中綿１３に含浸された液状化粧品がスムーズに穂先１５から吐出する。
【００１６】
なお、穂先１５は、図６に示した形状のものに限らず、使用される液状化粧品の種類や、液状化粧品を塗布する目的、部位などの違いにより、形状等において種々な種類の穂先が選択される。
穂先の他の種類の一例を説明する。図８に示す穂先２８は、ポーラスペンと云われ、ウレタン樹脂の連続した気泡で構成されており、その基部２８ｂには中経芯２６が挿入した状態に設けられている。図９に示す穂先２９は、ナイロンペンと云われ、ナイロン繊維をウレタン樹脂で固化したものであり、主にアイブローに用いるもので、先端部２９ａが丸みを帯びて形成される。図１０に示す穂先３０もナイロンペンと云われ、ナイロン繊維をウレタン樹脂で固化したものであり、先端部３０ａが鋭く形成される。このような様々な種類の穂先から選択されてノーズピース１４に集束されるのである。
【００１７】
キャップ１６は、図１に示すように、一端部１６ａが閉塞した筒状に形成され、他端部１６ｂが開口しており、この他端部１６ｂが塗布具本体１２の段部１８に当接するようになっている。また、キャップ１６の内部における一端部１６ａ側には、内キャップ２７が設けられている。
【００１８】
尾栓１７は、図１に示すように、一端部１７ａが開口し、他端部１７ｂが閉塞した栓状に形成されており、塗布具本体１２の後端部１２ｂに嵌め込んで施蓋する。
【００１９】
このように構成される液状化粧品塗布具１１は、ノーズピース１４の筒部２４を、塗布具本体１２の縮径部１９の内側に容易に嵌合できるように構成されているので、種々の種類の穂先が集束されたノーズピース１４であっても、所定形状の塗布具本体１２に容易に保持できる。従って、保持形状の異なる色々な塗布具本体１２を必要としないので、結果的に製造コストが低下することとなる。
【図面の簡単な説明】
【００２０】
【図１】本発明に係る液状化粧品塗布具１１の半身を破断して示した断面図である。
【図２】本発明に係る液状化粧品塗布具１１の平面図である。
【図３】塗布具本体１２の半身を破断して示した断面図である。
【図４】ノーズピース１４の平面図である。
【図５】ノーズピース１４の断面図である。
【図６】穂先１５の半身を破断して示した断面図である。
【図７】穂先１５を集束したノーズピース１４の斜視図である。
【図８】他の実施例の穂先２８の半身を破断して示した断面図である。
【図９】他の実施例の穂先２９の一部を省略した平面図である。
【図１０】他の実施例の穂先３０の半身を破断して示した断面図である。
【符号の説明】
【００２１】
１１  液状化粧品塗布具
１２  塗布具本体
１２ａ先端部
１２ｂ後端部
１３  中綿
１３ａ先端部
１３ｂ後端部
１４  ノーズピース
１５  穂先
１５ａ先端部
１５ｂ基部
１５ｃ鍔状部
１６  キャップ
１６ａ一端部
１６ｂ他端部
１７  尾栓
１７ａ一端部
１７ｂ他端部
１８  段部
１９  縮径部
２０  凸条部
２１  アジャスター
２２  テーパー状部
２３  段部
２４  筒部
２４ａ端部
２５  凹溝
２６  中経芯
２７  内キャップ
２８  穂先
２８ｂ基部
２９  穂先
２９ａ先端部
３０  穂先
３０ａ先端部
【図１】
2006296936.tif 000003
【図２】
2006296936.tif 000004
【図３】
2006296936.tif 000005
【図４】
2006296936.tif 000006
【図５】
2006296936.tif 000007
【図６】
2006296936.tif 000008
【図７】
2006296936.tif 000009
【図８】
2006296936.tif 000010
【図９】
2006296936.tif 000011
【図１０】
2006296936.tif 000012